(57)【要約】【課題】  石油、ガス、電気等の人口エネルギーの浪費を抑え、風呂の残り湯や地中の地熱を有効に活用して住宅の室温調節を行うための、エネルギーコストが低く構造が簡単な冷暖房装置を提供する事を課題とする。【解決手段】  冬期においては、全熱交換換気扇と地中熱回収パイプと風呂の残り湯で暖めた１階床下内部の空気を、居室に給気する事により居室を暖め、夏期においては、全熱交換換気扇と地中熱回収パイプで冷やした１階床下内部の空気を、居室に給気する事により居室を冷やすように構成した。【選択図】図１
2014129993.tif 000002
【特許請求の範囲】
【請求項１】
建物の室内に取付けた全熱交換型換気扇が室内に給気する新鮮な外気を、建物の１階床下に送り込むと共に、１階床下の基礎底盤に、下部をＵ字形に構成した地中熱回収パイプの両端を、基礎底盤より１階床下内部に突き出すように地中に埋設し、地中熱回収パイプの一端に送風機を取付けて稼動させる事により、１階床下内部の空気が地中熱回収パイプに吸い込まれ、その地中熱回収パイプに吸い込まれた空気は、冬期においては地中熱により地中熱回収パイプの中で暖められて１階床下内部を暖めると共に、１階床下の基礎底盤の上部に設置した温水放熱パイプに風呂の温かい残り湯を流して溜湯させる事により、１階床下内部の空気をさらに暖め、このようにして暖められた１階床下内部の空気を各階の室内に給気して室内を暖め、また、夏期においては地中熱により地中熱回収パイプの中で冷やされた１階床下内部の空気を各階の室内に給気して室内を冷やした事を特徴とするアース・ソーラーシステム。
【請求項２】
複数の地中熱回収パイプを互いに離して施工すると共に、地中熱回収パイプの基礎底盤から１階床下内部に突き出した先端部に９０°エルボを取付け、地中熱回収パイプの送風機が空気を送り出す方向と、別の位置の地中熱回収パイプの空気吸込口が、互いに向い合うように構成した事を特徴とする請求項１に記載のアース・ソーラーシステム。
【請求項３】
温水放熱パイプは、塩ビ管を基礎底盤に対して水平になるように設置し、冬期の間、風呂の排水パイプに取付けられた電気切替弁を操作して風呂の温かい残り湯を温水放熱パイプに流す事により、温水放熱パイプの中に溜湯して１階床下内部を温めると共に、温水放熱パイプから溢れ出る排水口には逆Ｕ字形のトラップを取付け、風呂から流した温かい残り湯が、常に温水放熱パイプの内部に留まり排水パイプに流れ出さないように構成した事を特徴とする請求項１に記載のアース・ソーラーシステム。
【請求項４】
基礎の外側に基礎外断熱材を施工すると共に、１階床には断熱材を施工せず１階床下内部を外気温度調整槽として利用する事により、１階床下内部を外気から遮断した密封状態として構成した事を特徴とする請求項１に記載のアース・ソーラーシステム。
【発明の詳細な説明】
【技術分野】
【０００１】  石油、ガス、電気等の人口エネルギーの浪費を抑え、風呂の温かい残り湯や、地中の地熱を有効に活用して住宅の室温調節を行うための、エネルギーコストが低く構造が簡単な冷暖房装置に関する。
【背景技術】
【０００２】  従来の、小規模な住宅における室温調整は、夏期にはクーラーを使用し、冬期には電気、ガス、石油等のエネルギーを利用して冷暖房を行って来たが、近年では地球温暖化防止の観点から、エネルギー消費に伴うＣＯ２排出量の削減が急務となり、エネルギー消費量の削減や、さらに自然エネルギーへの代替が早急に望まれている。【０００３】  これに伴い、自然エネルギーの利用手段として、現在、一般的に普及しているものは、太陽エネルギーを利用した、太陽熱温水器（熱効率５０〜６０％）と太陽光発電（変換効率１０〜１５％）があるが、いずれも、太陽エネルギーだけを利用する省エネ技術は天候に左右され易く、不安定な点から単独では利用が出来ず、他のエネルギーと兼用して利用されて来たため、なお一層の改良が求められている。【０００４】  これに対して、地下４〜５ｍの地中は、年間を通じて安定した温度を保つことから、夏期は外気と比べて低温となり、冬期は外気と比べて暖温となる。そのため、従来からこのような地中熱を利用した設備は、大型の建物や公共設備等で実験的に施工されているが、その利用方法は、冬の間に自然界で出来た氷を保存しておき、その氷を夏期に地下に設けた蓄熱槽に移して冷水を作り、その冷水を各室に循環させて冷房を行うことが一般的であり、大掛かりな工事が必要となり、しかも、定期的に蓄熱層に氷を補充しなければならず、小規模な住宅用としては不向きであった。【０００５】  さらに、地中熱を利用したヒートポンプ方式で、家庭内の給湯と、室内の冷暖房を行う方法も行われているが、水平ループ方式（地中に深さ１〜２ｍの堀を堀り、そこに採熱用パイプを這わせて埋設する）では、建て坪１００ｍ２の住宅の熱源を得るために４００〜６００ｍの採熱用パイプを埋設することが必要であり、又、垂直ループ方式（地中に深さ５０〜１００ｍの井戸を堀り、そこに採熱用パイプを埋設する）では２本の井戸が必要となり、一般住宅用で３００〜５００万円の費用を要すると共に、ヒートポンプの稼動コスト（電気代）が、深夜電力を利用した電気温水器の約７５％かかるといった問題があった。【０００６】  また、平成１５年７月に建築基準法が改正され、「シックハウス対策」として、居室の２４時間換気（１時間で居室体積の０．５回分を換気させる事）が義務づけられた。
【先行技術文献】
【特許文献】
【０００７】  そこで、本出願人は、特許文献１に記載された、建築基準法に対応できる「アース・ソーラーシステム（二層式）」を発明し出願した。この発明によれば、貯水タンクと、貯温水タンクの２つのタンクを地中に埋設し、その双方のタンク内に、外気取入口から各室の２４時間給気パイプに連通する熱交換パイプを配管し、貯水タンクを雨水又は地下水又は水道水で満たすと共に、貯温水タンクは太陽熱温水器からの温水で満たし、前記、熱交換パイプに設けた開閉バルブを操作する事により、夏期においては、冬期の冷たい外気で冷やしておいた貯水タンク内の冷水を利用して、外気を貯水タンク内の熱交換パイプを経由させ、暑い外気を冷やして各室に送り込むため、効率よく冷風運転を行うことが出来る。また、冬期においては、夏期の暑い外気で温めておいた貯水タンクの弱温水に冷たい外気を熱交換バイプを経由して暖めると共に、さらに太陽熱温水器を利用した、貯温水タンク内の温水中の熱交換パイプを経由するため、各室に温風を送り込むことが可能となった。
【特許文献１】特願２００７−４２８９５
【０００８】  しかしながら、本出願人の出願した特許文献１の発明においては、貯水タンクと貯温水タンクの２つのタンクを必要としたため、配管が複雑になり、開閉バルブの数も増え、高価格になると共に、施工するための工期も長く必要であった。【０００９】  そこで、本出願人は、特許文献２に記載された、「アース・ソーラーシステム（一層式）」を発明して出願した。この発明によれば、建物の下部の地中に、建物の基礎部と−体に構成したコンクリート製タンクを構築し、コンクリート製タンク内に熱交換パイプを配管し、コンクリート製タンク内を雨水、又は水道水、又は地下水で満たし、全熱交換型換気扇からの供給空気をコンクリート製タンク内の熱交換パイプに導き、夏期は、全熱交換型換気扇からの供給空気を、地中熱で冷やされたコンクリート製タンク内の水と、熱交換パイプとの間で熱交換して冷やした後、給気パイプを経由して各階に給気し、冬期は、太陽熱温水器からの温水を、コンクリート製タンク内に循環させて、コンクリート製タンク内を温水状態とし、全熱交換型換気扇からの供給空気を、コンクリート製タンク内の熱交換パイプに導き、コンクリート製タンク内の温水と、熱交換パイプとの間で熱交換して暖めた後、給気パイプを経由して各階に給気した事により、各室に温風を送り込むことが可能となった。
【特許文献２】特願２００８−１３４７８３
【００１０】  しかしながら、本出願人の出願した特許文献２の発明においても、建物の下部の地中にコンクリート製タンクを必要としたため、高価になると共に、施工するための工期も長く必要であった。【００１１】  そこで、本出願人は、特許文献３に記載された、「アース・ソーラーシステム（地中熱回収パイプ方式）」を発明して出願した。この発明によれば、建物の基礎部に外部との通気口を設置せず、１階床下内部の空気を外気と遮断して密封状態とし、建物の室内に取付けた全熱交換型換気扇が室内側に供給する新鮮な外気を、建物の１階床下内部に送り込むと共に、１階床下の基礎底盤に下部をＵ字形に成形した複数の地中熱回収パイプを、両端を基礎底盤より１階床下部に突き出すように地中に埋設し、地中熱回収パイプの一端には送風機を取付け、その送風機を稼動させる事により１階床下内部の空気が地中熱回収パイプに吸い込まれ、その地中熱回収パイプに吸い込まれた空気は、冬期は地中熱により地中熱回収パイプの中で暖められると共に、さらに、１階床下部に設けた温水蓄熱槽に太陽熱温水器で温めた温水を循環させて１階床下内部の空気を暖め、また、夏期は１階床下部に設けた温水蓄熱槽に太陽熱温水器からの温水を循環させず、地中熱により地中熱回収パイプの中で冷やされた空気が１階床下内部に給気され、その１階床下の空気をダクトを通して各階の天井内部に給気し、天井内部に給気した空気を各室天井に設けたガラリより室内に給気した事により、冬期には弱暖房された暖かい空気を各室に送り込むと共に、夏期には弱冷風された涼しい空気を各室に送り込むことが可能となった。
【特許文献３】特願２００９−１５８８６３
【００１２】  しかしながら、本出願人の出願した特許文献３の発明においても、雨や曇りの日が続いた場合、太陽熱温水器のお湯の温度が上がらず、雨や曇りの日と、晴天の日の温度差が大きいといった問題が発生した。【００１３】  そこで、本出願人は、特許文献４に記載された、「アース・ソーラーシステム（地中熱回収パイプ方式）」を発明して出願した。この発明によれば、冬期においては、建物の基礎部に外部との通気口を設置せず、１階床下内部の空気を外気と遮断して密封状態とし、建物の室内に取付けた全熱交換型換気扇が室内側に供給する新鮮な外気を、建物の１階床下部に送り込むと共に、１階床下の基礎底盤に下部をＵ字形に成形した複数の地中熱回収パイプを、両端を基礎底盤より１階床下部に突き出すように地中に埋設し、地中熱回収パイプの一端には送風機を取付け、その送風機を稼動させる事により１階床下内部の空気が地中熱回収パイプに吸い込まれ、地中熱により地中熱回収パイプの中で暖められて１階床下内部の空気を暖めると共に、太陽熱温水器からの温水をお風呂で利用した後、温水蓄熱槽に流して溜湯したため、雨や曇りが続いた場合においても、１階床下内部の空気の温度を地中熱だけに頼らず暖かくする事が可能となり、これまで排水溝に流していた温かい風呂の残り湯のエネルギーを再利用する事により、１階床下内部の弱暖房された暖かい空気を各室に給気する事が可能となった。また、夏期においては、温水蓄熱槽に風呂の残り湯を供給せず、全熱交換型換気扇から１階床下内部に送り込まれた外気は、地中熱により地中熱回収パイプの中で冷やされて１階床下部の空気と混ぜ合わされた後、各階天井内部に設けられたダクトの送風機を稼動させる事により、１階床下内部からダクトを経由して各階の天井内部に送られ、天井に設けたガラリより室内に給気して室内を冷やす事が可能となった。
【特許文献４】特願２０１０−５６０８８
【００１４】  しかしながら、本出願人の出願した特許文献４の発明においても、床下に設置する温水蓄熱槽の長期耐久性に問題が残ると共に、冬期において風呂の残り湯と地中熱だけでは暖房効果が不足するといった問題が発生した。【００１５】  また、従来から地中熱交換機を利用した建物の空調換気システムとして知られている、特許文献５に記載したジオパワーシステムの場合、冬期において、地中熱だけでは暖房効果（地下５ｍでも地中温度は約１８度前後だから、外気を地中熱により暖めても、それ以下の温度にしかならない）が低く、さらに価格が高いため、一般住宅に施工する場合はコストの面で問題があった。
【特許文献５】特開２００７−３０３６９３
【００１６】  さらに、太陽エネルギーを利用するソーラーシステムとして知られている、特許文献６に記載したＯＭソーラーの場合、雨や曇りの日が続いた場合には暖房効果が下がるため補助暖房装置が必要になるといった問題と、さらに夏期においては冷風運転が出来ないといった欠点があった。
【特許文献６】特開平０８−００５１６１
【発明の概要】
【発明が解決しようとする課題】
【００１７】  本発明は、このような、従来の欠点に鑑みて、自然との調和を図る事を目的とし、石油、ガス、電気等の人工エネルギーの浪費を抑え、風呂の温かい残り湯や、地中の地中熱を有効に利用して、住宅の室温調整を行うものであり、エネルギーコストが低く、構造が簡単な冷暖房装置を提供する事を課題とする。
【課題を解決するための手段】
【００１８】  本出願人の出願した特許文献１、特許文献２、特許文献３、特許文献４による発明では、上記のような問題が発生したため、当社では、新たに、特許文献４の発明を改良して、冬期においては、風呂の残り湯を温水放熱パイプに流して温水放熱パイプに温かい風呂の残り湯を溜湯をさせた装置に改良すると共に、温水放熱パイプをコストを抑えて塩ビパイプを利用した製品を新たに開発し、本発明を特許出願すると同時に、本製品の発売を開始した。【００１９】  かかる課題を解決するため、請求項１に記載の発明は、建物の室内に取付けた全熱交換型換気扇が室内に給気する新鮮な外気を、建物の１階床下に送り込むと共に、１階床下の基礎底盤に、下部をＵ字形に構成した地中熱回収パイプの両端を、基礎底盤より１階床下内部に突き出すように地中に埋設し、地中熱回収パイプの一端に送風機を取付けて稼動させる事により、１階床下内部の空気が地中熱回収パイプに吸い込まれ、その地中熱回収パイプに吸い込まれた空気は、冬期においては地中熱により地中熱回収パイプの中で暖められて１階床下内部を暖めると共に、１階床下の基礎底盤の上部に設置した温水放熱パイプに風呂の温かい残り湯を流して溜湯させる事により、１階床下内部の空気をさらに暖め、このようにして暖められた１階床下内部の空気を各階の室内に給気して室内を暖め、また、夏期においては地中熱により地中熱回収パイプの中で冷やされた１階床下内部の空気を各階の室内に給気して室内を冷やした事を特徴とする。【００２０】  請求項２に記載の発明は、請求項１に記載の構成に加え、複数の地中熱回収パイプを互いに離して施工すると共に、地中熱回収パイプの基礎底盤から１階床下内部に突き出した先端部に９０°エルボを取付け、地中熱回収パイプの送風機が空気を送り出す方向と、別の位置の地中熱回収パイプの空気吸込口が、互いに向い合うように構成した事を特徴とする。【００２１】  請求項３に記載の発明は、請求項１に記載の構成に加え、温水放熱パイプは、塩ビ管を基礎底盤に対して水平になるように設置し、冬期の間、風呂の排水パイプに取付けられた電気切替弁を操作して風呂の温かい残り湯を温水放熱パイプに流す事により、温水放熱パイプの中に溜湯して１階床下内部を温めると共に、温水放熱パイプから溢れ出る排水口には逆Ｕ字形のトラップを取付け、風呂から流した温かい残り湯が、常に温水放熱パイプの内部に留まり排水パイプに流れ出さないように構成した事を特徴とする。【００２２】  請求項４に記載の発明は、請求項１に記載の構成に加え、基礎の外側に基礎外断熱材を施工すると共に、１階床には断熱材を施工せず１階床下内部を外気温度調整槽として利用する事により、１階床下内部を外気から遮断した密封状態として構成した事を特徴とする。
【発明の効果】
【００２３】  請求項１に記載の発明によれば、建物の室内に取付けた全熱交換型換気扇が室内に給気する新鮮な外気を、建物の１階床下に送り込むと共に、１階床下の基礎底盤に、下部をＵ字形に構成した地中熱回収パイプの両端を、基礎底盤より１階床下内部に突き出すように地中に埋設し、地中熱回収パイプの一端に送風機を取付けて稼動させる事により、１階床下内部の空気が地中熱回収パイプに吸い込まれ、その地中熱回収パイプに吸い込まれた空気は、冬期においては地中熱により地中熱回収パイプの中で暖められて１階床下内部を暖めると共に、１階床下の基礎底盤の上部に設置した温水放熱パイプに風呂の温かい残り湯を流して溜湯させる事により、１階床下内部の空気をさらに暖め、このようにして暖められた１階床下内部の空気を各階の室内に給気して室内を暖め、また、夏期においては地中熱により地中熱回収パイプの中で冷やされた１階床下内部の空気を各階の室内に給気して室内を冷やした事により、エネルギー消費が少なく、省エネにも貢献する冷暖房装置を提供する事が出来るようになり、エネルギーコスト（電気・ガス・灯油代）を大幅に削減する事が可能となった。【００２４】  請求項２に記載の発明によれば、複数の地中熱回収パイプを互いに離して施工すると共に、地中熱回収パイプの基礎底盤から１階床下内部に突き出した先端部に９０°エルボを取付け、地中熱回収パイプの送風機が空気を送り出す方向と、別の位置の地中熱回収パイプの空気吸込口が、互いに向い合うように構成した事により、１階床下内部の空気が掻き混ぜられて空気の澱む場所が無くなり、１階床下内部の温度・湿度を均一に調整する事が可能となり、複数の地中熱回収パイプに対して、同一温度・湿度の空気を供給する事が可能となり、各階に給気する１階床下内部の空気の温度・湿度を一定温度に安定させる事が可能となった。【００２５】  請求項３に記載の発明によれば、温水放熱パイプは、塩ビ管を基礎底盤に対して水平になるように設置し、冬期の間、風呂の排水パイプに取付けられた電気切替弁を操作して風呂の温かい残り湯を温水放熱パイプに流す事により、温水放熱パイプの中に溜湯して１階床下内部を温めると共に、温水放熱パイプから溢れ出る排水口には逆Ｕ字形のトラップを取付け、風呂から流した温かい残り湯が、常に温水放熱パイプの内部に留まり排水パイプに流れ出さないように構成した事により、浴槽の大小により湯量が異なる風呂の温かい残り湯の量を、温水放熱パイプの長さを長短させる事により簡単に増減する事が可能となると共に、風呂の温かい残り湯が、温水放熱パイプの中の冷めた排水を押し流す事により、温水放熱パイプの中には常に温かい風呂の残り湯が溜湯されエネルギーを無駄なく活用する事が可能となった。【００２６】  請求項４に記載の発明によれば、基礎の外側に基礎外断熱材を施工すると共に、１階床には断熱材を施工せず１階床下内部を外気温度調整槽として利用する事により、１階床下内部を外気から遮断した密封状態とした事により、１階床下内部の温度を一定に保つ事により、１階の室内の温度も一定温度に保つ事が可能となると共に、各階の室内に送り込む給気の温度の変化も最小限に抑える事が可能となった。
【実施例１】
【００２７】  以下、この発明の実施の形態１について説明する。
［発明の実施の形態１］【００２８】  図１乃至図７には、この発明の実施の形態１を示す。【００２９】  図１は、本発明の温水放熱パイプ２９と地中熱回収パイプ１７、２３、２６、３１を利用した、住宅１の立体解説図である。以下に、地中熱と風呂の温かい残り湯を利用した住宅の冷暖房システムを説明する。【００３０】  図１は、本発明のアース・ソーラーシステムを分かりやすく説明するため、アース・ソーラーシステムを組み込んだ住宅１を立体解説図で示したものである。基礎底盤１０の上部には温水放熱パイプ２９を設置し、この温水放熱パイプ２９に風呂４０の温かい残り湯を供給するため、風呂４０の排水パイプ４１に電気切替弁３９を取付け、風呂４０の温かい残り湯を温水放熱パイプ２９に供給する場合は、電気切替弁３９のスイッチ（図示せず）を排水パイプ３４方向から温水放熱パイプ２９方向に切り替える事により、風呂４０の温かい残り湯が温水放熱パイプ２９に供給される。さらに、基礎底盤１０の四隅には２本の塩ビパイプ（４ｍの塩ビパイプ）の下部を塩ビ製の９０°エルボと塩ビパイプで継いで、下部をＵ字形（図２の拡大図で示す）に構成した４組の塩ビパイプの地中熱回収パイプ１７、２３、２６、３１が、両端を基礎底盤１０より１階床下内部に突き出すように地中に埋設され、地中熱回収パイプ１７の１階床下内部に突き出した塩ビパイプの先端には塩ビ製の９０°エルボ１１、９０°エルボ１３が取付けられ、塩ビ製の９０°エルボ１３の先端には送風機１４が取付けられる。同様に、地中熱回収パイプ２３の１階床下内部に突き出した塩ビパイプの先端には塩ビ製の９０°エルボ１９、９０°エルボ２０が取付けられ、塩ビ製の９０°エルボ２０の先端には送風機２１が取付けられる。同様に、地中熱回収パイプ２６の１階床下内部に突き出した塩ビパイプの先端には塩ビ製の９０°エルボ４２、９０°エルボ４３が取付けられ、塩ビ製の９０°エルボ４３の先端には送風機４４が取付けられる。同様に、地中熱回収パイプ３１の１階床下内部に突き出した塩ビパイプの先端には塩ビ製の９０°エルボ３５、９０°エルボ３６が取付けられ、塩ビ製の９０°エルボ３６の先端には送風機３７が取付けられると共に、地中熱回収パイプ１７、２３、２６、３１を構成する２本の塩ビパイプに取付けた塩ビ製の９０°エルボの空気取入口と空気吐出口を互いに直角になるように構成し、隣り合う４組の地中熱回収パイプの空気排出口と、空気取入口が互いに向き合うように配置される。【００３１】  さらに、風呂４０で利用した後の温かい残り湯は、排水パイプ４１に取付けられた電機切替弁３９（排水パイプ４１の中の排水を、排水パイプ３４方向、又は温水放熱パイプ２９方向へ流すための電気モーターを使用した排水経路の切替弁）を温水放熱パイプ２９方向に切り替える事により風呂４０の温かい残り湯は温水放熱パイプ２９に流れ込み、温水放熱パイプ２９の中に溜湯（図７で詳細に説明する）され１階床下内部の空間を暖める。【００３２】  さらに、図６で示すように、送風機１４、２１、３７、４４を稼動させる事により、地中熱回収パイプ１７が吸い込んだ１階床下内部の空気は、地中熱回収パイプ１７の中を矢印１６方向から矢印１５方向に流れて地中熱により温度���整され、送風機１４により１階床下内部に排出される。このようにして１階床下内部に排出された空気は矢印１８方向に送風され、１階床下内部の空気と混ぜ合わされて温度が均一になるように調整され、塩ビ製の９０°エルボ１９から再び地中熱回収パイプ２３に吸い込まれ、地中熱回収パイプ２３の中を矢印２２方向から矢印２４方向に流れて地中熱により温度調整され、送風機２１により１階床下内部に排出される。このようにして１階床下内部に排出された空気は矢印２８方向に送風され、１階床下内部の空気と混ぜ合わされて温度が均一になるように調整され、塩ビ製の９０°エルボ３５から再び地中熱回収パイプ３１に吸い込まれ、地中熱回収パイプ３１の中を矢印３２方向から矢印３０方向に流れて地中熱により温度調整され、送風機３７により１階床下内部に排出される。このようにして１階床下内部に排出された空気は矢印３８方向に送風され、１階床下内部の空気と混ぜ合わされて温度が均一になるように調整され、塩ビ製の９０°エルボ４２から再び地中熱回収パイプ２６に吸い込まれ、地中熱回収パイプ２６の中を矢印２７方向から矢印２５方向に流れて地中熱により温度調整され、送風機４４により１階床下内部に排出される。このようにして１階床下内部に排出された空気は矢印９方向に送風され、１階床下内部の空気と混ぜ合わされて温度が均一になるように調整され、塩ビ製の９０°エルボ１１から再び地中熱回収パイプ１７に吸い込まれる。このように基礎底盤１０の四隅に配置された地中熱回収パイプ１７、２３、２６、３１の空気取入口（塩ビ製の９０°エルボ１１、１９、３５、４２）と、地中熱回収パイプの空気排出口（塩ビ製の９０°エルボ１３、２０、３６、４３）を、互いに向き合うように構成する事により、１階床下内部の空気は、床下内部の場所によって澱む事が無くまぜ合わされ、床下内部の空気の温度が何れの場所でも均一になるように調整される。【００３３】  さらに、１階床下の基礎底盤１０の四隅に、地中熱回収パイプ１７、２３、２６、３１を互いに離して埋め込む事により、地中内部において地中熱回収パイプから発生する熱による、お互いの地中熱回収パイプ同士による熱干渉を少なくする事が可能となる。特に、狭小地に地中熱回収パイプを埋め込む場合、地中熱回収パイプ同士の熱による熱干渉により、地中の温度が変化（夏期には暑い外気を地中熱回収パイプに送り込むため地中の温度が上昇し、冬期には寒い外の外気を地中熱回収パイプに送り込むため地中の温度が下がる）してしまい、地中熱回収パイプのメリットが減少する事となる。【００３４】  このように、地中熱回収パイプ１７、２３、２６、３１に各々１台の送風機を取付け地中熱を回収した事により地中熱を効率良く回収する事が可能となった。さらに、それぞれの地中熱回収パイプ１７、２３、２６、３１に独立して１台づつ送風機を取付けた事により、１階床下内部の空気の温度が、夏（冬）の初めに冷え（暖か）すぎる場合には、４本の地中熱回収パイプ１７、２３、２６、３１の内の数本のみ稼動させ、他の地中熱回収パイプの稼動を停止させる事により、１階床下内部の温度を調節する事が可能となった。なお、当社では、この発明の実施の形態１で説明している地中熱回収パイプを４組み使用したアース・ソーラーシステムは、述べ床面積４０坪迄の住宅仕様とし、それ以上の述べ床面積の住宅の場合には、述べ床面積に応じて地中熱回収パイプを増設して対応している。【００３５】  本発明において、地中熱回収パイプ１７、２３、２６、３１には内径１００ミリメートルの塩ビパイプを使用し、地中に埋め込む深さは約４メートルである。その理由は、塩ビパイプの標準的な長さは４メートルで入手しやすい上に価格が安く、さらに関東地区の地中４〜５メートルの温度は、年間を通して約１７℃〜１９℃と温度変化が少ないためです。ちなみに、東京都足立区大谷田の、当社ショールーム（地下室付）で、毎日、地中１メートル、３メートル、５メートルの地中温度を測定しているが、その測定結果によると地中５メートルの地中温度は、毎年５月〜６月の間で最低温度の１７．１℃となり、１１月〜１２月の間で最高温度の１９．３℃となる。外気の最低気温（２月頃）に対して地中５メートルの最低温度が５月〜６月となるのは、地表面の温度が地中に浸透するのに時間がかかるためである。夏期の場合も同様である。【００３６】  さらに、地中熱回収パイプ１７、２３、２６、３１を地中に埋設する際は、小型重機（穴堀建柱車等）にオーガーを取付け、オーガーで地中に穴を掘り、その穴に地中熱回収パイプを埋め込むため、工期を短縮し安価に施工する事が可能である。【００３７】  なお、一般的な住宅の１階床下の基礎は、１階床下内部に湿気が溜まるのを防ぐため、外気と１階床下内部の空気が常に通気するように、基礎と土台の間に通気基礎パッキンを使用しているが、本発明においては、１階床下内部を外気温度調整槽として利用するため、ベタ基礎を施工し、外気が１階床下部に直接流入しないように、基礎と建物の土台の間に気密基礎パッキンを使用し、１階床下内部が外気と通気せず密封状態となるように施工する。【００３８】  以上のような構成において、図２において冬期における居室の弱温風運転について説明する。【００３９】  最初に、一般的な全熱交換型換気扇の使用方法では、全熱交換型換気扇の内部で熱交換を終えた新鮮な外気は居室に給気されるが、本発明のアース・ソーラーシステムでは全熱交換型換気扇の内部で熱交換を終えた新鮮な外気を１階床下内部７３に給気する方法について説明する。１階の居室Ａの室内側吐出空気（よごれた室内空気）は、全熱交換型換気扇６０に吸い込まれダクト５８を経由してフード６５から室外に排気される。その際、全熱交換型換気扇６０が排気する室内の空気（室内側吐出空気）と、フード６５から室内に給気する外気（室外側吸込空気）とが全熱交換型換気扇６０の内部で熱交換されると共に、全熱交換型換気扇６０が吸い込んだ室外側吸込空気（新鮮な空気）は全てダクト７６を経由して１階床下内部７３に供給される。同様にして、２階の居室Ｂの室内側吐出空気（よごれた室内空気）は、全熱交換型換気扇５４に吸い込まれダクト５５を経由してフード５６から室外に排気される。その際、全熱交換型換気扇５４が排気する室内の空気（室内側吐出空気）と、フード５６から室内に給気する外気（室外側吸込空気）とが全熱交換型換気扇５４の内部で熱交換されると共に、全熱交換型換気扇５��が吸い込んだ室外側吸込空気（新鮮な空気）は全てダクト６２を経由して１階床下内部７３に供給される。【００４０】  このように、全熱交換型換気扇５４、６０を使用する事により、冬期における室内の暖かい空気を、外の冷たい外気と入れ替える（換気する）際に、室内の暖かい空気の温度が下がるのを最小限に抑える事が可能となる。ちなみに、三菱電機株式会社のホームページでは、ロスナイ（全熱交換型換気扇の商品名）の熱交換機能を、「外気温度０℃、室内温度２０℃、温度交換効率７５％の場合」、室内温度２０℃の空気をロスナイで換気した場合、外気（０℃）の空気の温度は熱交換機の働きで１５℃となって室内に給気（新鮮空気）されると説明している。【００４１】  つづいて、このようにして１階床下内部７３に供給された全熱交換型換気扇５４、６０からの外気（室外側吸込空気）が、どのようにして１階床下内部７３で熱交換されて弱温風になるかを説明する。【００４２】  ダクト６２、７６から供給された全熱交換型換気扇５４、６０からの外気は、１階床下内部７３の空気と混ざり合い、地中熱回収パイプ８４に取付けられた送風機８５を稼動させる事により、１階床下内部７３の空気は、矢印８３方向から地中熱回収パイプ８４に吸い込まれ、地中熱回収パイプ８４の中で地中熱により暖められて弱温風となり、送風機８５により矢印８６方向に示すように１階床下内部７３に排気される。同様にして、地中熱回収パイプ８８に取付けられた送風機８９を稼動させる事により、１階床下内部７３の空気は、矢印８７方向から地中熱回収パイプ８８に吸い込まれ、地中熱回収パイプ８８の中で地中熱により暖められて弱温風となり、送風機８９により矢印９０方向に示すように１階床下内部７３に排気される。同様にして、地中熱回収パイプ９２に取付けられた送風機９３を稼動させる事により、１階床下内部７３の空気は、矢印９１方向から地中熱回収パイプ９２に吸い込まれ、地中熱回収パイプ９２の中で地中熱により暖められて弱温風となり、送風機９３により矢印９４方向に示すように１階床下内部７３に排気される。同様にして、地中熱回収パイプ９６に取付けられた送風機１００を稼動させる事により、１階床下内部７３の空気は、矢印９５方向から地中熱回収パイプ９６に吸い込まれ、地中熱回収パイプ９６の中で地中熱により暖められて弱温風となり、送風機１００により矢印１０１方向に示すように１階床下内部７３に排気される。【００４３】  さらに、冬期では、風呂７７で利用した後の温かい残り湯を、電気切替弁７８で矢印７９方向に示す温水放熱パイプ７２に流すように切り替える事により、風呂の７７の温かい残り湯が温水放熱パイプ７２に溜湯される。このようにして温水放熱パイプ７２に溜湯された温かい風呂７７の残り湯により１階床下内部７３の空気が暖められる。なお、温水放熱パイプ７２の長さは風呂７７の浴槽の湯量を基にして決める事により、風呂７７の温かい残り湯を無駄なく活用する事が可能になると共に、温水放熱パイプ７２から溢れ出る、温水放熱パイプ７２の中の冷めた風呂の残り湯は、温かい風呂７７の残り湯に押し出されて矢印８１方向から矢印８２方向に流れ排水溝１０２に排水される。このように構成する事により、常に温水放熱パイプ７２の中の冷めた残り湯が押し出され、温水放熱パイプ７２の中は温かい風呂７７の残り湯で満たされる。【００４４】  このようにして、風呂７７で使用した後の温かい残り湯を、１階床下内部７３の基礎底盤７０の上に設置した温水放熱パイプ７２に流して溜湯させる事により、地中熱回収パイプ８４、８８、９２、９６の中で地中熱により暖められた１階床下内部７３の空気は、さらに温水放熱パイプ７２の中の風呂７７の温かい残り湯により暖められる。【００４５】  このように、１階床下内部７３で弱温風となった外気は、１階床を暖める事により１階の居室Ａを暖めると共に、弱温風となった１階床下内部７３の空気は、１階床下に取付けられた送風機６９を稼動させる事により、ガラリ６８から矢印６７方向に給気されて１階室内を暖め、さらに１階床下内部７３から２階床に配管されたダクト１０９の送風機１０６を稼動させる事により、１階床下内部７３の弱温風はダクト１０９を経由してガラリ１１０より矢印６３方向に給気され２階の居室Ｂを暖める。【００４６】  このように、冬期においては風呂７７で利用した後の温かい残り湯を、１階床下内部７３の基礎底盤７０の上部に設置した温水放熱パイプ７２に流して溜湯させる事により、曇りや雨の日が続いた場合でも、地中熱回収パイプ８４、８８、９２、９６の中で地中熱により暖められた１階床下内部７３の空気を、さらに温水放熱パイプ７２の中の温かい風呂の残り湯で暖め、弱温風として１階の居室Ａ、２階の居室Ｂに給気する事が可能となる。【００４７】  つづいて、図３において夏期における居室の弱冷風運転について説明する。【００４８】  最初に、一般的な全熱交換型換気扇の使用方法では、全熱交換型換気扇の内部で熱交換を終えた新鮮な外気は居室に給気されるが、本発明のアース・ソーラーシステムでは全熱交換型換気扇の内部で熱交換を終えた新鮮な外気を１階床下内部７３に給気する方法について説明する。１階の居室Ａの室内側吐出空気（よごれた室内空気）は、全熱交換型換気扇６０に吸い込まれダクト５８を経由してフード６５から室外に排気される。その際、全熱交換型換気扇６０が排気する室内の空気（室内側吐出空気）と、フード６５から室内に給気する外気（室外側吸込空気）とが全熱交換型換気扇６０の内部で熱交換されると共に、吸い込んだ室外側吸込空気（新鮮な空気）は全てダクト７６を経由して１階床下内部７３に供給される。同様にして、２階の居室Ｂの室内側吐出空気（よごれた室内空気）は、全熱交換型換気扇５４に吸い込まれダクト５５を経由してフード５６から室外に排気される。その際、全熱交換型換気扇５４が排気する室内の空気（室内側吐出空気）と、フード５６から室内に給気する外気（室外側吸込空気）とが全熱交換型換気扇５４の中で熱交換されると共に、吸い込まれた室外側吸込空気（新鮮な空気）は全てダクト６２を経由して１階床下内部７３に供給される。【００４９】  このようにして、全熱交換型換気扇５４、６０を使用する事により、夏期における涼しい室内の空気を、外の暑い外気と入れ替える（換気する）際に、涼しい室内の空気の温度の上昇を最小限に抑える事が可能となる。【００５０】  つづいて、このようにして１階床下内部７３に���給された全熱交換型換気扇５４、６０からの外気（室外側吸込空気）が、どのようにして１階床下内部７３で熱交換されて弱冷風になるかを説明する。ダクト６２、７６から供給された全熱交換型換気扇５４、６０からの外気は、１階床下内部７３の空気と混ざり合い、地中熱回収パイプ８４に取付けられた送風機８５を稼動させる事により、１階床下内部７３の空気は、矢印８３方向から地中熱回収パイプ８４に吸い込まれ、地中熱回収パイプ８４の中で地中熱により冷やされて弱冷風となり、送風機８５により矢印８６方向で示すように１階床下内部７３に排気される。同様にして、地中熱回収パイプ８８に取付けられた送風機８９を稼動させる事により、１階床下内部７３の空気は、矢印８７方向から地中熱回収パイプ８８に吸い込まれ、地中熱回収パイプ８８の中で地中熱により冷やされて弱冷風となり、送風機８９より矢印９０方向で示すように１階床下内部７３に排気される。同様にして、地中熱回収パイプ９２に取付けられた送風機９３を稼動させる事により、１階床下内部７３の空気は、矢印９１方向から地中熱回収パイプ９２に吸い込まれ、地中熱回収パイプ９２の中で地中熱により冷やされて弱冷風となり、送風機に９３より矢印９４方向で示すように１階床下内部７３に排気される。同様にして、地中熱回収パイプ９６に取付けられた送風機１００を稼動させる事により、１階床下内部７３の空気は、矢印９５方向から地中熱回収パイプ９６に吸い込まれ、地中熱回収パイプ９６の中で地中熱により冷やされて弱冷風となり、送風機１００により矢印１０１方向で示すように１階床下内部７３に排気される。【００５１】  このようにして、１階床下内部７３で弱冷風となった外気は、１階床を冷やす事により１階の居室Ａを冷やすと共に、弱冷風となった１階床下内部７３の空気は、１階床下に取付けられた送風機６９を稼動させる事により、ガラリ６８から矢印６７方向に示すように１階の居室Ａに給気され１階室内を冷やす。さらに１階床下内部７３から２階床に配管されたダクト１０９に取付けられた送風機１０６を稼動させる事により、１階床下内部７３の弱冷風はダクト１０９を経由してガラリ１１０から矢印６３方向に示すように２階の居室Ｂに給気され２階の居室Ｂを冷やす。【００５２】  なお、夏期においては、電気切替弁７８を切り替え、風呂７７の残り湯を矢印１１５方向に排水する事により、１階床下内部７３の基礎底盤７０の上部に設置した温水放熱パイプ７２に風呂７７の残り湯を供給せず、夏期においては温水放熱パイプ７２は利用しない。【００５３】  図４は、本発明における住宅５２を、次世代省エネタイプの断熱材で施工（構成）した状態を示す。屋根の断熱に関しては、屋根断熱材１２０（一般的には、厚さ１６０ｍｍの発泡ウレタン）を屋根裏側に施工する。外壁の断熱に関しては、外壁断熱材１２１（一般的には、厚さ７５ｍｍの発泡ウレタン）を壁内部に施工する。窓のサッシに関しては、各社から発売されている断熱等級４（次世代省エネタイプ）の断熱樹脂サッシ１２２を使用する。基礎の断熱に関しては、基礎外断熱材１２３（一般的には、厚さ５０ｍｍの発泡スチロール板）を基礎コンクリートの外側に施工したあと、発泡スチロール板の外側に無���縮コンクリートを厚さ１０〜２０ミリメートル施工する。但し、ここに書かれた断熱材の種類と材質に関しては、例えば、発泡スチロール板であっても、密度の違いにより断熱効果に変化が生じるため、同一メーカーであっても、密度により厚さが変わる場合がある。なお、次世代省エネタイプの住宅においては、１階床下、１階天井裏、２階天井裏に断熱材を施工しているが、本発明においては、住宅の各々室内同士の温度を出来るだけ均一に保つため、１階床下１や１階天井裏、２階天井裏には断熱材を施工しない。本発明における住宅５２の断熱性能に関しては、最大限の省エネ効果を得るためにも、図４で説明した次世代省エネタイプの断熱を必ず施工する事が必要である。【００５４】  つづいて、図５により、全熱交換型換気扇１３２の機能と、全熱交換型換気扇１３２の設置場所について説明する。【００５５】  図５ｂに示すように、全熱交換型換気扇本体１２６の下面には室内空気取込口１３１が設けられ、室内空気取込口１３１から吸い込まれた室内の空気は、排気用配管１３０を経由して排気１２９方向（室外）に排気され、その際、全熱交換型換気扇１３２が排気１２９する室内の空気（室内側排出空気）と、外気取込配管１２７を経由して全熱交換型換気扇１３２に吸い込まれる外気１２８とが全熱交換型換気扇本体１２６の内部で熱交換されると共に、吸い込まれた外気１２８は４本の給気パイプ１３４に分岐されて各居室に給気１３３されるように構成される。【００５６】  このように構成された全熱交換型換気扇１３２を、図５ａ（図２、図３で説明した符号と同一符号で説明する）で示すように１階の天井部分に全熱交換型換気扇６０（図５ｂで説明した全熱交換型換気扇１３２と同一製品）を取付け、全熱交換型換気扇６０を稼働させる事により、居室Ａの室内空気が矢印７４方向から廊下Ｅに流れ込み全熱交換型換気扇６０に吸い込まれ、吸い込まれた室内空気はダクト５８を経由して室外に排気されると共に、全熱交換型換気扇６０内部で新鮮な外気と熱交換され、全ての給気はダクト７６を経由して１階床下内部７３に供給される。同様に、２階の天井部分に全熱交換型換気扇５４（図５ｂで説明した全熱交換型換気扇１３２と同一製品）を取付け、全熱交換型換気扇５４を稼働させる事により、居室Ｂの室内空気が矢印５９方向から廊下Ｄに流れ込み全熱交換型換気扇５４に吸い込まれ、吸い込まれた室内空気はダクト５５を経由して室外に排気されると共に、フード５６から吸い込まれた外気は全熱交換型換気扇５４内部で熱交換され、全ての外気はダクト６２を経由して１階床下内部７３に供給される。このようにして１階床下内部７３に供給された新鮮な外気は、図２、図３で説明したように、１階床下内部７３よりダクトとガラリを経由して１階の居室Ａ、２階の居室Ｂに給気される。このようにして、各階に全熱交換型換気扇を１台づつ設置する事により、居室のみならず廊下も含めて建物全体の室温調節が可能となるばかりでなく、さらにフィルターの清掃作業も各階１台の清掃で済むようになる。【００５７】  図７は、図１で説明した基礎底盤１０の上部に設置した温水放熱パイプ２９を示す。温水放熱パイプ２９は、図１乃至図３で説明したように１階床下内部の��礎底盤１０の上部に設置され、１階床下内部を均等に暖めるように基礎に沿って四角形状になるように構成され、温水放熱パイプ２９の高さを調整するため、図７ｂで示すように、下部が平板状の台座１５９（鋼板）とネジ山１５４のある２本の受けボルト１５６で形成され、その受けボルト１５６にナット１５５を取付け、ナット１５５の上部に、温水放熱パイプ２９の塩ビパイプ１４８を受止めるためのＵ字形をした受台１５８の左右に開けた穴を２本のネジ山１５４に挿入し、受台１５８に塩ビパイプ１４８を乗せ、基礎底盤１０から塩ビパイプ１４８までの高さを揃えるため、ナット１５５で受台１５８の高さを調整し、基礎底盤１０から塩ビパイプ１４８の高さを同一高さになるように調整したあと、逆Ｕ字形をして左右に受けボルト１５６を通すための穴１３９が開けられた固定カバー１５７を塩ビパイプ１４８に被せナット１５３で受台１５８と固定カバー１５７を固定する。このように、複数のパイプ固定用台座１５０で温水放熱パイプ２９の塩ビパイプ１４８を支える事により、温水放熱パイプ２９の傾きを水平に調整する事が出来るようになり、風呂４０の温かい残り湯が偏る事なく温水放熱パイプ２９の中に滞留する事が出来るようになった。【００５８】  さらに、基礎底盤１０の上部に配置された塩ビパイプ１４８の両端に、塩ビキャップ１４５、塩ビキャップ１４６を取付け塩ビパイプ１４８の両端を塞ぐと共に、風呂４０の排水が流れ込む温水放熱パイプ２９の先端部と電気切替弁３９を、図７ｃで示すように電気切替弁３９の排水口の底部の高さと、塩ビパイプ１４８の底部の高さが同一高さになるように高さを調整した上、塩ビの接続パイプ１６０で接続する事により、風呂４０の排水がスムーズに温水放熱パイプ２９に流れ込む事が出来るようになる。さらに温水放熱パイプ２９の後端部は、図７ｄで示すように塩ビパイプ１４８の内部の上部が、逆Ｕ字形トラップ１４１の頂点の内部の下部と同一高さになるように逆Ｕ字形トラップ１４１を構成し、排水パイプ３４と塩ビパイプ１４８を逆Ｕ字形トラップ１４１で接続する事により、風呂４０から流れ出た温かい風呂４０の残り湯が温水放熱パイプ２９の中の冷めた風呂４０の残り湯を逆Ｕ字形トラップ１４１から押し出し、冷めた風呂４０の残り湯は排水パイプ３４を経由して排水溝３３に排水され、温かい風呂４０の残り湯は塩ビパイプ１４８の中に溜湯される。
【実施例２】
【００５９】  以下、この発明の実施の形態２について説明する。
［発明の実施の形態２］【００６０】  図８、図９は、この発明の実施の形態２を示す。上記発明の実施の形態１では、図２（冬期）、図３（夏期）の何れの季節においても、１階床下内部７３の空気を１階の居室Ａに給気する場合、１階床に穴を開け、その穴の床上部にガラリ６８を取付けると共に、穴の床下内部に送風機６９を取付け、送風機６９を稼動させる事により１階床下内部７３の空気を１階の居室Ａに給気し、さらに１階床下内部７３の空気を２階の居室Ｂに給気する場合は、１階床下内部７３から２階床部にダクト１０９を取付け、ダクト１０９の２階床部にガラリ１１０を取付けると共に、１階床下内部７３に送風機１０６を取付け、送風機１０６を稼動させる事により１階床下内部７３の空気を２階の居室Ｂに給気していたのに対して、この発明の実施の形態２では、図８、図９で示すように、１階床下内部１８８から１階の居室Ｄと２階の居室Ｅに連通するダクト１９１を取付け、そのダクト１９１の１階の居室Ｄの天井下部に送風機１９０とガラリ１８９を取付けると共に、ダクト１９１の２階の居室Ｅの天井下部に送風機１９２とガラリ１９３を取付け、送風機１９０、１９２を稼動させる事により、１階床下内部１８８の空気を１階の居室Ｄと２階の居室Ｅに給気するように構成した。【００６１】  このように構成する事により、図９で示す夏期の弱冷風運転において、１階床下内部１８８の空気をダクト１９１を経由して１階の居室Ｄと２階の居室Ｅの天井下部から給気する事が可能となり、弱冷気を居室の天井部分から床面に向かって給気する事により、冷房効果が一層増して効率よく居室を冷やす事が可能となる。なお、このように夏期において１階床下内部１８８の空気をダクト１９１を経由して１階の居室Ｄと２階の居室Ｅに給気する際は、１階の居室Ｄのガラリ１７５と２階の居室Ｅのガラリ１９４に蓋を取付け、送風機１７６と送風機１８６の稼動を停止させる。【００６２】  さらに、図８で示すように、冬期において１階床下内部１８８の空気を、１階床下内部１８８の送風機１７６、送風機１８６を稼動させて１階の居室Ｄと２階の居室Ｅに給気する場合は、ダクト１９１の１階の居室Ｄのガラリ１８９と２階の居室Ｅのガラリ１９３に蓋を取付け、送風機１９０と送風機１９２の稼動を停止させる。このように１階床下内部１８８の空気を１階の居室Ｄと２階の居室Ｅに給気する際、夏期と冬期で給気するガラリの位置を変更する理由は、室温に比べ、熱い空気は上昇し、冷たい空気は下降するためである。その他の構造においては、この発明の実施の形態１と同様である。【００６３】  最後に、当社が販売しているアース・ソーラーシステムを装備した注文住宅の場合、お客様の要望（例えば、冬期の暖房を強化してほしい等）に応じ、費用対効果を考慮して各種バリエーション（屋根の上に設置する太陽熱集熱器、地中に埋設して地熱を利用する地中熱回収パイプ、風呂の残り湯を利用する温水放熱パイプ）を組み合わしたアース・ソーラーシステムを販売中である。本発明におけるアース・ソーラーシステムは、その商品（バリエーション）の内の一つである。【００６４】  以上、実施の形態に基づいて、本発明に係るアース・ソーラーシステムについて詳細に説明し��きたが、本発明は、以上の実施の形態に限定されるものではなく、発明の趣旨を逸脱しない範囲において各種の改変をなしても、本発明の技術的範囲に属するのはもちろんである。【００６５】  図１において、風呂４０の残り湯を、排水パイプ４１から温水放熱パイプ２９方向に切り替えるため、電気切替弁３９を使用すると説明したが、電気切替弁３９に限らず、機械式切替バルブ、電磁式切替弁、手動式切替バルブを使用する事も、もちろん可能である。【００６６】  図８、図９において、ダクト１９１の１階居室部分と２階居室部分に、それぞれ一台の送風機１９０と送風機１９２を取付けたが、コストを抑えるために１階居室の送風機１９０と２階居室の送風機１９２を取り外し、ダクト１９１の１階床下内部１８８の空気取込口に一台の送風機を取付け、１階居室と２階居室を同時に給気する事も、もちろん可能である。
【図面の簡単な説明】
【００６７】
【図１】この発明の実施の形態１に係る、アース・ソーラーシステムの立体図である。
【図２】同実施の形態に係る、冬期の住宅断面図における全熱交換型換気扇と地中熱回収パイプと温水放熱パイプを利用したアース・ソーラーシステムの弱温風システム図である。
【図３】同実施の形態に係る、夏期の住宅断面図における全熱交換型換気扇と地中熱回収パイプを利用したアース・ソーラーシステムの弱冷風システム図である。
【図４】同実施の形態に係る、住宅に、屋根断熱材、外壁断熱材、断熱樹脂サッシ、基礎外断熱材を施工した状態の断面図である。
【図５】同実施の形態に係る、天井取付専用型の全熱交換型換気扇を設置する場所を示した住宅断面図である。
【図６】同実施の形態に係る、地中熱回収パイプと１階床下空間の空気の流れを説明した斜視図である。
【図７】同実施の形態に係る、風呂の残り湯を溜湯するための、温水放熱パイプの斜視図である。
【図８】この発明の実施の形態２に係る、冬期において居室を暖めるための弱温風の給気経路を示す住宅断面図である。
【図９】同実施の形態に係る、夏期において居室を冷やすための弱冷風の給気経路を示す住宅断面図である。
【符号の説明】
【００６８】１                  住宅
２                  屋根
３                  フード
４                  矢印
５                  外気導入ダクト
６                  ダクト
７                  矢印
８                  矢印
９                  矢印
１０                基礎底盤
１１                ９０°エルボ
１２                基礎
１３                ９０°エルボ
１４                送風機
１５                矢印
１６                矢印
１７                地中熱回収パイプ
１８                矢印
１９                ９０°エルボ
２０                ９０°エルボ
２１                送風機
２２                矢印
２３                地中熱回収パイプ
２４                矢印
２５                矢印
２６                地中熱回収パイプ
２７                矢印
２８                矢印
２９                温水放熱パイプ
３０                矢印
３１                地中熱回収パイプ
３２                矢印
３３                排水溝
３４                排水パイプ
３５                ９０°エルボ
３６                ９０°エルボ
３７                送風機
３８                矢印
３９                電気切替弁
４０                風呂
４１                排水パイプ
４２                ９０°エルボ
４３                ９０°エルボ
４４                送風機
４５                給水管
４６                風呂給湯器
５１                太陽
５２                住宅
５３                屋根
５４                全熱交換型換気扇
５５                ダクト
５６                フード
５７                矢印
５８                ダクト
５９                矢印
６０                全熱交換型換気扇
６１                矢印
６２                ダクト
６３                矢印
６４                矢印
６５                フード
６６                矢印
６７                矢印
６８                ガラリ
６９                送風機
７０                基礎底盤
７１                基礎
７２                温水放熱パイプ
７３                １階床下内部
７４                矢印
７５                矢印
７６                ダクト
７７                風呂
７８                電気切替弁
７９                矢印
８０                矢印
８１                矢印
８２                矢印
８３                矢印
８４                地中熱回収パイプ
８５                送風機
８６                矢印
８７                矢印
８８                地中熱回収パイプ
８９                送風機
９０                矢印
９１                矢印
９２                地中熱回収パイプ
９３                送風機
９４                矢印
９５                矢印
９６                地中熱回収パイプ
９７                塩ビパイプ
９８                エルボ
９９                塩ビパイプ
１００              送風機
１０１              矢印
１０２              排水溝
１０３              上水道
１０４              矢印
１０５              給水管
１０６              送風機
１０７              風呂給湯器
１０８              矢印
１０９              ダクト
１１０              ガラリ
１１５              矢印
１２０              屋根断熱材
１２１              外壁断熱材
１２２              断熱樹脂サッシ
１２３              基礎外断熱材
１２６              全熱交換型換気扇本体
１２７              外気取込配管
１２８              外気
１２９              排気
１３０              排気用配管
１３１              室内空気取込口
１３２              全熱交換型換気扇
１３３              給気
１３４              給気パイプ
１３９              穴
１４０              矢印
１４１              逆Ｕ字形トラップ
１４２              矢印
１４３              矢印
１４４              矢印
１４５              塩ビキャップ
１４６              塩ビキャップ
１４７              矢印
１４８              塩ビパイプ
１４９              エルボ
１５０              パイプ固定用台座
１５１              矢印
１５２              矢印
１５３              ナット
１５４              ネジ山
１５５              ナット
１５６              受けボルト
１５７              固定カバー
１５８              受台
１５９              台座
１６０              接続パイプ
１６１              屋根
１６２              全熱交換型換気扇
１６３              ダクト
１６４              矢印
１６５              ダクト
１６６              全熱交換型換気扇
１６７              ダクト
１６８              フード
１６９              矢印
１７０              フード
１７１              矢印
１７２              矢印
１７３              ダクト
１７４              矢印
１７５              ガラリ
１７６              送風機
１７７              地中熱回収パイプ
１７８              送風機
１７９              地中熱回収パイプ
１８０              送風機
１８１              地中熱回収パイプ
１８２              送風機
１８３              地中熱回収パイプ
１８４              送風機
１８５              矢印
１８６              送風機
１８７              ダクト
１８８              １階床下空間
１８９              ガラリ
１９０              送風機
１９１              ダクト
１９２              送風機
１９３              ガラリ
１９４              ガラリ
１９５              矢印
１９６              矢印
１９７              矢印
１９８              矢印
【図１】
2014129993.tif 000003
【図２】
2014129993.tif 000004
【図３】
2014129993.tif 000005
【図４】
2014129993.tif 000006
【図５】
2014129993.tif 000007
【図６】
2014129993.tif 000008
【図７】
2014129993.tif 000009
【図８】
2014129993.tif 000010
【図９】
2014129993.tif 000011